(57)【要約】【解決手段】後から倒される側壁２の内壁面に、先に倒される側壁３の外壁面に形成された、前記後から倒される側壁の内壁面と干渉するリブ３ｂ、３ｃが挿入可能な凹溝２ｃ、２ｄを形成した折り畳みコンテナーに関するものである。【効果】後から倒される側壁の内壁面に、先に倒される側壁の外壁面に形成された、後から倒される側壁の内壁面と干渉するリブが挿入可能な凹溝を形成したので、折り畳んだ状態の折り畳みコンテナーの高さを、従来の折り畳みコンテナーに比べて低くすることができ、従って、折り畳んだ状態の折り畳みコンテナーの収納効率が向上する。【選択図】図４
2004099085.tif 000002
【特許請求の範囲】
【請求項１】
底部の一方の相対する辺部にヒンジ連結された一方の相対する側壁と、底部のもう一方の相対する辺部にヒンジ連結されたもう一方の相対する側壁とを有し、側壁が略垂直に立てられた箱型に組み立てられた状態から、一方の相対する側壁を、底部に重なるように倒した後、もう一方の相対する側壁を、前記先に倒された側壁に重なるように倒すことにより、高さの低いコンパクトな状態に折り畳むことが可能な折り畳みコンテナーにおいて、後から倒される側壁の内壁面には、先に倒される側壁の外壁面に形成された、前記後から倒される側壁の内壁面と干渉するリブが挿入可能な凹溝を形成したことを特徴とする折り畳みコンテナー。
【発明の詳細な説明】
【０００１】
【発明の属する技術分野】
本発明は、平面形状が略方形状の底部と、底部の４つの辺部にヒンジ連結された４つの側壁とを有するとともに、側壁が略垂直に立てられて、箱型に組み立てられた状態から、一方の相対する側壁を底部に重なるように倒した後、もう一方の相対する側壁を、上記の先に倒された側壁に重なるように倒すことにより、高さの低いコンパクトな状態に折り畳むことが可能な折り畳みコンテナーに関するものである。
【０００２】
【従来の技術】
上述した従来の折り畳みコンテナーを構成する側壁は、平板状部と、平板状部の周縁部に形成されているとともに、平板状部に略垂直な周縁リブと、周縁リブ内に形成された、同じく平板状部に略垂直で、周縁リブと略同じ高さの補強リブとから構成されており、折り畳みコンテナーを箱型に組みたてた際には、平板状部の周縁リブや補強リブが形成されていない平滑な面が、折り畳みコンテナーの内側に位置し、また、平板状部の周縁リブが外側に位置するように構成されている。そして、折り畳みコンテナーが折り畳まれた状態の高さは、収容される物品が載置される底部の上面と底部の裏面との間の厚さと、先に倒される側壁の平板状部の内壁面（折り畳みコンテナーが箱型に組み立てられた際に、内側に位置する面）と周縁リブや補強リブの先端までの厚さと、後から倒される側壁の平板状部の内壁面と周縁リブや補強リブの先端までの厚さとの合計が、略その最低高さとなる（例えば、特開２００１−２８７７３８号公報等）。
【０００３】
【発明が解決しようとする課題】
上述した従来の折り畳みコンテナーは、折り畳み時の高さが高いために、折り畳まれた状態の折り畳みコンテナーの収納効率が悪いという問題があった。また、折り畳み時の高さを低くするために、側壁の厚さや底部の厚さを薄くすると、折り畳みコンテナーの強度や剛性が低下するという問題があった。
【０００４】
本発明の目的は、上述した従来の折り畳みコンテナーが有する課題を解決することにある。
【０００５】
【課題を解決するための手段】
本発明は、上述した目的を達成するために、底部の一方の相対する辺部にヒンジ連結された一方の相対する側壁と、底部のもう一方の相対する辺部にヒンジ連結されたもう一方の相対する側壁とを有し、側壁が略垂直に立てられた箱型に組み立てられた状態から、一方の相対する側壁を、底部に重なるように倒した後、もう一方の相対する側壁を、前記先に倒された側壁に重なるように倒すことにより、高さの低いコンパクトな状態に折り畳むことが可能な折り畳みコンテナーにおいて、後から倒される側壁の内壁面には、先に倒される側壁の外壁面に形成された、前記後から倒される側壁の内壁面と干渉するリブが挿入可能な凹溝を形成したものである。
【０００６】
【実施例】
以下に、本発明の実施例について説明するが、本発明の趣旨を越えない限り何ら、本実施例に限定されるものではない。
【０００７】
１は、平面形状が略長方形状に底部であり、底部１の長辺部には、相対する土手部（以下、単に、長辺側土手部という。）１ａが形成されており、また、底部１の短辺部にも、相対する土手部（以下、単に、短辺側土手部という。）１ｂが形成されている。１ｃは、長辺側土手部１ａと短辺側土手部１ｂとにより形成される底部１の角部に形成された、平面形状が略Ｌ字状の角部ブロックであり、角部ブロック１ｃは、長辺側土手部１ａに沿って延在する角柱状の長辺側部分１ｃ１と、短辺側土手部１ｂに沿って延在する略四半円状の扇状の短辺側部分１ｃ２とから構成されている。
【０００８】
底部１の長辺側土手部１ａには、長側壁２が、適当なヒンジ部材を介してヒンジ連結されており、また、短辺側土手部１ｂには、短側壁２が、適当なヒンジ部材を介してヒンジ連結されている。そして、本実施例においては、長辺側土手部１ａは、短辺側土手部１ｂより高く形成されており、長辺側土手部１ａと長辺側土手部１ａにヒンジ連結されている長側壁２とのヒンジ連結部（長側壁２の回動中心）の高さは、短辺側土手部１ｂと短辺側土手部１ｂにヒンジ連結されている短側壁３とのヒンジ連結部（短側壁３の回動中心）の高さより高く構成されている。
【０００９】
上述した構成を有する折り畳みコンテナーを、図１に示されているように、箱型に組み立てられた状態から、図３に示されているように、高さの低いコンパクトな状態に折り畳むには、先ず最初に、底部１の高さの低い短辺側土手部１ｂにヒンジ連結されている短側壁３を、底部１方向に倒して、図２に示されているように、底部１に重ねる。次いで、底部１の高さの高い長辺側土手部１ａにヒンジ連結されている長側壁２を、底部１方向に倒して、底部１に重ねられている短側壁３の上に重ねることにより、図３に示されているように、高さの低いコンパクトな状態に折り畳むことになる。
【００１０】
長側壁２の両端部には、長側壁２の横長の略長方形状の板状部２ａに略直交するとともに、底部１の短辺側土手部１ｂ方向に延在する枠部２ｂが形成されており、枠部２ｂには、縦長の嵌合スリット２ｂ１が形成されている。
【００１１】
短側壁３は、横長の略長方形状の板状部３ａと、板状部３ａの上端から、板状部３ａに直交するとともに外側に延在する上端水平リブ３ｂと、板状部３ａの下端の両側部分から、板状部３ａに直交するとともに外側方向に延在する下端水平リブ３ｃと、下端水平リブ３ｃの内側縁から上方に延在するとともに板状部３ａに対して垂直で、且つ、上端水平リブ３ｂに連結されている相対する側部垂直リブ３ｄと、相対する側部垂直リブ３ｄの中程を連結するとともに板状部３ａに対して垂直な中間水平リブ３ｅ等を有している。また、板状部３ａの下部角部には、折り畳みコンテナーを箱型に組みたてた際に、底部１の角部ブロック１ｃを構成する扇状の短辺側部分１ｃ２が挿入可能な切り欠き凹部３ｆが形成されている。更に、板状部３ａの垂直端には、板状部３ａに略垂直で、且つ、外側に延在する嵌合突片３ｇが形成されており、折り畳みコンテナーを箱型に組み立てた際には、嵌合突片３ｇは、長側壁２の枠部２ｂに形成された嵌合スリット２ｂ１に嵌合されるように構成されている。また、嵌合突片３ｇは、図２に示されているように、短側壁３が、底部１に重なるように倒された後、略垂直状態の長側壁２を底部１方向に倒した際に、嵌合突片３ｇが、長側壁２の下端部に当接しないような高さに形成されている。なお、本実施例には、所定の間隔を置いて、２個の嵌合突片３ｇが形成されている例が示されている。
【００１２】
また、長側壁２の内壁面には、図２に示されているように、短側壁３が、底部１に重なるように倒された後、略垂直状態の長側壁２を底部１方向に倒した際に、短側壁３に形成された上端水平リブ３ｂのうち、長側壁２と干渉する部分が挿入可能な凹溝２ｃが、長側壁２の板状部２ａを、内側から外側に膨出させることにより形成されている。同様に、長側壁２の内壁面には、略垂直状態の長側壁２を底部１方向に倒した際に、短側壁３に形成された下端水平リブ３ｃのうち、長側壁２と干渉する部分が挿入可能な凹溝２ｄが、長側壁２の板状部２ａを、内側から外側に膨出させることにより形成されている。なお、長側壁２の板状部２ａの下部角部には、折り畳みコンテナーを箱型に組みたてた際に、底部１の角部ブロック１ｃを構成する長辺側部分１ｃ１が挿入可能な切り欠き凹部２ｅが形成されている。
【００１３】
上述したように、箱型に組み立てられた折り畳みコンテナーを、折り畳むには、先ず最初に、略垂直な短側壁３を、底部１方向に倒して底部１に重ね、次いで、略垂直な長側壁２を、底部１方向に倒して、底部１に重ねられている短側壁３の上に重ねることになるが、この際、短側壁３に形成された上端水平リブ３ｂは、長側壁２の内壁面に形成された凹溝２ｃに挿入され、また、短側壁３に形成された下端水平リブ３ｃは、長側壁２の内壁面に形成された凹溝２ｄに挿入されるように構成されているので、折り畳んだ状態の折り畳みコンテナーの高さを、従来の折り畳みコンテナーに比べて低くすることができ、従って、折り畳んだ状態の折り畳みコンテナーの収納効率が向上する。しかも、長側壁２や短側壁３の厚さを薄くすることなく、折り畳んだ状態の折り畳みコンテナーの高さを低くすることができるので、長側壁２や短側壁３の強度や剛性が低下するようなこともない。
【００１４】
上述した実施例には、箱型に組み立てられた折り畳みコンテナーの折り畳み作業の際に、後から倒される長側壁２の内壁面と干渉する、先に倒される短側壁３の外壁面に形成されている上端水平リブ３ｂ及び下端水平リブ３ｃが、挿入可能な凹溝２ｃ、２ｄを、長側壁２の内壁面に形成した例が示されているが、先に倒される短側壁３の外壁面に形成されている他のリブが、後から倒される長側壁２の内壁面と干渉する場合には、同様の凹溝を、長側壁２の内壁面に形成することになる。
【００１５】
なお、上述した実施例には、箱型に組み立てられた状態から、先に短側壁３を倒し、次いで、長側壁２を倒すことにより、折り畳みコンテナーを折り畳むようにした例が示されているが、先に長側壁２を倒し、次いで、短側壁３を倒すことにより、折り畳みコンテナーを折り畳むように構成することもできる。
【００１６】
【発明の効果】
本発明は、以上説明した構成を有しているので、以下に記載する効果を奏するものである。
【００１７】
後から倒される側壁の内壁面に、先に倒される側壁の外壁面に形成された、後から倒される側壁の内壁面と干渉するリブが挿入可能な凹溝を形成したので、折り畳んだ状態の折り畳みコンテナーの高さを、従来の折り畳みコンテナーに比べて低くすることができ、従って、折り畳んだ状態の折り畳みコンテナーの収納効率が向上する。しかも、側壁の厚さを薄くすることなく、折り畳んだ状態の折り畳みコンテナーの高さを低くすることができるので、側壁の強度や剛性が低下するようなこともない。
【図面の簡単な説明】
【図１】図１は本発明の折り畳みコンテナーが箱型に組み立てられた状態の斜視図である。
【図２】図２は本発明の折り畳みコンテナーの折り畳み或いは組み立て途中の斜視図である。
【図３】図３は本発明の折り畳みコンテナーが折り畳まれた状態の斜視図である。
【図４】図４は本発明の折り畳みコンテナーの折り畳み或いは組み立て途中の部分拡大斜視図である。
【図５】図５は本発明の折り畳みコンテナーが折り畳まれた状態の部分拡大斜視図である。
【符号の説明】
１・・・・・・・・・・・・底部
２・・・・・・・・・・・・長側壁
２ａ・・・・・・・・・・・板状部
２ｃ、２ｄ・・・・・・・・凹溝
３・・・・・・・・・・・・短側壁
３ａ・・・・・・・・・・・板状部
３ｂ、３ｃ・・・・・・・・リブ
【図１】
2004099085.tif 000003
【図２】
2004099085.tif 000004
【図３】
2004099085.tif 000005
【図４】
2004099085.tif 000006
【図５】
2004099085.tif 000007